(57)【要約】【課題】安価で安定した分流特性を持つ分流器が組込まれた空気調和機を提供する。【解決手段】熱交換効率を向上させるために冷媒を複数に分流して空気調和機の室外側熱交換器に流す分流器は、複数の分流キャピラリが接続される分岐部ユニットに、分流キャピラリが直管で連結され、この分流キャピラリは、その内径は０．６〜１．５ｍｍであって、その一端に１次圧として１０４０ｍＨｇの圧力を加えたとき、他端に２次圧として４３±２５ｍｍＡｑの範囲の圧力が生じかつ、その長さが１５０ｍｍ以下である。【選択図】  図２
2004257596.tif 000002
【特許請求の範囲】
【請求項１】
熱交換効率を向上させるために冷媒を複数に分流して室外側熱交換器に流すようにした冷凍サイクルを有する空気調和機において、冷媒を分流する分流器は、複数の分流キャピラリが接続される分岐部ユニットに、分流キャピラリが直管で連結され、この分流キャピラリは、その内径が０．６〜１．５ｍｍであって、その一端に１次圧として１０４０ｍＨｇの圧力を加えたとき、他端に２次圧として４３±２５ｍｍＡｑの範囲の圧力が生じかつ、その長さが１５０ｍｍ以下であることを特徴とする空気調和機。
【請求項２】
請求項１に記載の空気調和機において、前記直管の分流キャピラリは、その一端が分岐部ユニットの軸線に対して３０°以下の角度を有して接続され、他端が室外側熱交換器に連通する冷媒管の軸線に対して３０°以下の角度を有して接続されたことを特徴とする空気調和機。
【発明の詳細な説明】
【０００１】
【発明の属する技術分野】
本発明は空気調和機に係わり、特に冷媒を複数に分流して室外側熱交換器に流す冷凍サイクルを有する空気調和機に関する。
【０００２】
【従来の技術】
一般に空気調和機の室外側熱交換器の熱交換効率を向上させるために、冷媒を複数に分流して室外側熱交換器に流す冷凍サイクルがある。この冷凍サイクルは、圧縮機、四方弁、室内側熱交換器、流量調整弁、複数のキャピラリからなり冷媒を分流する分流器、この分流器により分流された冷媒が流入する室外側熱交換器を有している。
【０００３】
しかしながら、図１０に示すように、従来の分流器１６は、分岐部ユニット１６ｂに接続された内径１．５ｍｍ、長さ２００ｍｍあるいは内径１．７ｍｍ、長さ４００ｍｍの分流キャピラリ１６ａが接続され、これらを限られたスペースに収納するために巻回されている。しかしながら、分流キャピラリ１６ａを巻回あるいは束ねるには作業工数が発生し、生産コストがアップする。また、分流数だけ分流キャピラリ１６ａが並列に配置されるため、消音目的で貼付されるブチルゴム１６ｃが分流キャピラリ１６ａの全表面に確実に接触させることが困難であり、冷媒音を消すことができず、また、完全に冷媒音を消そうとすると、ブチルゴム１６ｃが非常に大きなものになる問題があった。
【０００４】
なお、上記のような長い分流キャピラリ（バランスキャピラリ）に代えて、分岐管を設ける空気調和機が提案されているが、上記分流管は冷媒を分岐管の壁に衝突させて冷媒を分流するために、冷媒の流速、流量等の冷媒流れ条件によって、その分流機能が不安定になる課題が残る（例えば特許文献１など）。
【０００５】
そこで安価で安定した分流特性を持つ分流器が組込まれた空気調和機が要望されていた。
【０００６】
【特許文献１】
特開２００１−２６３８６３号公報（段落番号［０００４］、［００１７］〜［００２１］、図１）
【０００７】
【発明が解決しようとする課題】
本発明は上述した事情を考慮してなされたもので、安価で安定した分流特性を持つ分流器が組込まれた空気調和機を提供することを目的とする。
【０００８】
【課題を解決するための手段】
上記目的を達成するため、本発明の１つの態様によれば、熱交換効率を向上させるために冷媒を複数に分流して室外側熱交換器に流すようにした冷凍サイクルを有する空気調和機において、冷媒を分流する分流器は、複数の分流キャピラリが接続される分岐部ユニットに、分流キャピラリが直管で連結され、この分流キャピラリは、その内径が０．６〜１．５ｍｍであって、その一端に１次圧として１０４０ｍＨｇの圧力を加えたとき、他端に２次圧として４３±２５ｍｍＡｑの範囲の圧力が生じかつ、その長さが１５０ｍｍ以下であることを特徴とする空気調和機が提供される。これにより、安価で安定した分流特性を持つ分流器が組込まれた空気調和機が実現される。
【０００９】
好適な一例では、前記直管の分流キャピラリは、その一端が分岐部ユニットの軸線に対して３０°以下の角度を有して接続され、他端が室外側熱交換器に連通する冷媒管の軸線に対して３０°以下の角度を有して接続される。これにより、組立て時、上記角度により形成される曲げ部分が分岐部ユニット挿入部に当接し、分流キャピラリと接続配管が一定長さで位置決めでき、また、分流キャピラリの両端が一直線上になくても、接続部同士が最短距離で結ばれ、さらに、分流キャピラリの流路が変形することがなく、冷媒の流れに影響が生じない。
【００１０】
【発明の実施の形態】
以下、本発明に係わる空気調和機の一実施形態について添付図面を参照して説明する。
【００１１】
図１は本発明に係わる空気調和機に組込まれた冷凍サイクルの概念図である。
【００１２】
図１に示すように、本発明に係わる空気調和機に組込まれた冷凍サイクル１は、インバータ式の圧縮機２に、四方弁３、室内熱交換器４、減圧装置の一例である電動膨張弁５、分流器６、室外熱交換器７を冷媒配管８により順次接続して形成されている。
【００１３】
図２に示すように、上記分流器６は、室外熱交換器７に近接し、立設状態で配置されており、さらに、図３及び図４に示すように、分流器６は、複数の分流キャピラリ６ａと、これらが接続される例えば真鍮製の分岐部ユニット６ｂとからなっている。
【００１４】
分流キャピラリ６は、直管状であり、その内径は０．６〜１．５ｍｍであって、その一端に１次圧として１０４０ｍＨｇの圧力を加えたとき、他端に２次圧として４３±２５ｍｍＡｑの範囲の圧力が生じかつ、その長さが１５０ｍｍ以下である。分流キャピラリ６ａに上記のような内径条件、圧力降下（絞り）条件を設定することで、従来のように内径１．５ｍｍ、長さ２００ｍｍの分流キャピラリあるいは内径１．７ｍｍ、長さ４００ｍｍのキャピラリを用いることなく、その長さを１５０ｍｍ以下にすることが可能になる。また、図４（ａ）に示すように、分岐部ユニット６ｂは、真鍮中実円柱体を穿孔加工して形成され、さらに、キャピラリ挿入部６ｂ１及び配管挿入部６ｂ２には段差が設けられ、分流キャピラリ７及び室内側冷媒配管８ｉの挿入時一定の長さで位置決めできるようになっている。
【００１５】
また、図１に示す冷凍サイクル２に組込まれた分流器６は、図２及び図５に示すように、分岐部ユニット６ｂを介して室内側冷媒配管８ｉに接続され、分流キャピラリ６ａを介して室外熱交換器７に連通する室外側冷媒配管８ｏに接続されている。さらに、分流キャピラリ６ａには、消音目的でブチルゴム６ｃが貼付されている。分流キャピラリ６ａは直線的で短いので、従来の長い分流キャピラリが必要とする巻回作業が不必要となり、また、キャピラリが直線的であるので、従来のように巻回された分流キャピラリに大きな面積のブチルゴムを貼付するのと異なり、分流キャピラリ表面全体にブチルゴムを貼ることができて、消音効果が向上し、さらに、小さなブチルゴムで足りるので安価になる。
【００１６】
上記のように本実施形態の空気調和機は、暖房運転時、上記条件設定された分流器６の分流キャピラリ６ａにより、冷媒はバランスよく分流され、また、分流キャピラリ６ａから冷媒音が発生するが、分流キャピラリ表面全体に貼付されたブチルゴム６ｃにより、効果的に消音され静かに運転できる。
【００１７】
なお、上記実施形態において、図３に示すように、分流器６を別体の複数の分流キャピラリ６ａと、真鍮製の分岐部ユニット６ｂとを一体的に接合して形成したが、図６に示すように、分流器６Ａを別体の複数の分流キャピラリ６Ａａと、銅製のＹ型分岐部ユニット６Ａｂとを一体的に接合して形成してもよい。これにより、Ｙ型分岐部ユニット６Ａｂの製造が容易で安価になる。
【００１８】
また、図７に示すように、分流器６Ｂを別体の複数の分流キャピラリ６Ｂａと、銅製で室内側冷媒配管８Ｂｉと一体に形成されたＹ型分岐部ユニット６Ｂｂとを一体的に接合して形成してもよい。
【００１９】
さらに、図８に示すように、分流器６Ｃを室外側冷媒配管８Ｃｏに一体に形成された複数の分流キャピラリ６Ｃａと、分岐部ユニット６Ｃｂとを一体的に接合して形成してもよい。
【００２０】
また、図９に示すように、分流器６Ｄは、分流キャピラリ６Ｄａがその一端で分岐部ユニット６Ｄｂの軸線すなわちこの軸線の平行線ｃ１に対して３０°以下の角度を有して接続され、他端が室外側冷媒配管８Ｄｏの軸線すなわちこの軸線の平行線ｃ２に３０°以下の角度を有して接続されている。これにより、組立て時、上記角度により形成される曲げ部分が分岐部ユニット挿入部に当接し、分流キャピラリと接続配管が一定の長さで位置決めができるようなっている。また、位置決め用の曲げ部分を設けたことにより、分流キャピラリの両端が一直線上になくても、接続部同士が最短距離で結ばれている。角度が３０°を超えると分流キャピラリの流路が変形し、冷媒の流れに影響が生じる。
【００２１】
【発明の効果】
本発明に係わる空気調和機によれば、安価で安定した分流特性を持つ分流器が組込まれた空気調和機を提供することができる。
【図面の簡単な説明】
【図１】本発明に係わる空気調和機に組込まれた冷凍サイクルの概念図。
【図２】本発明に係わる空気調和機の室外機の筐体を除去して示す側面図。
【図３】本発明に係わる空気調和機に組込まれた分流器の側面図。
【図４】（ａ）は本発明に係わる空気調和機に組込まれた分流器の分岐部ユニットの縦断面図、（ｂ）はその平面図。
【図５】本発明に係わる空気調和機における流器の組込み状態を示す側面図。
【図６】本発明に係わる空気調和機に組込まれた分流器の他の実施形態の側面図。
【図７】本発明に係わる空気調和機に組込まれた分流器の他の実施形態の側面図。
【図８】本発明に係わる空気調和機に組込まれた分流器の他の実施形態の側面図。
【図９】本発明に係わる空気調和機に組込まれた分流器の他の実施形態の側面図。
【図１０】従来の空気調和機に組込まれた分流器の側面図。
【符号の説明】
１  冷凍サイクル
２  圧縮機
３  四方弁
４  室内熱交換器
５  電動膨張弁
６  分流器
６ａ  分流キャピラリ
６ｂ  分岐部ユニット
６ｂ１  キャピラリ挿入部
６ｂ２  配管挿入部
６ｃ  ブチルゴム
７  室外熱交換器
８  冷媒配管
８ｉ  室内側冷媒配管
８ｏ  室外側冷媒配管
【図１】
2004257596.tif 000003
【図２】
2004257596.tif 000004
【図３】
2004257596.tif 000005
【図４】
2004257596.tif 000006
【図５】
2004257596.tif 000007
【図６】
2004257596.tif 000008
【図７】
2004257596.tif 000009
【図８】
2004257596.tif 000010
【図９】
2004257596.tif 000011
【図１０】
2004257596.tif 000012